(57)【要約】      （修正有）【課題】認識対象物の奥行き方向の位置を容易に認識することができる超音波診断装置を提供する。【解決手段】超音波診断装置は、短軸方向に並んだ複数の長軸方向の列に配列された複数の振動子を有する超音波探触子を備える。また、超音波診断装置は、超音波探触子の各列の振動子に駆動信号の出力及び受信信号の取得を行い、各列に対応する受信信号から各列に対応する超音波画像データを生成する画像生成部と、複数の超音波画像データのそれぞれの認識対象物としての穿刺針の針部分画像３１１Ａ、３１１Ｂ、３１１Ｃを各列で別々に識別可能な色にし、針部分画像を含む複数の超音波画像データを合成して合成画像データを生成する画像処理部と、合成画像データの針部分画像の色が、合成画像データの超音波画像３１０の奥行き方向のどの位置に対応するかを示す識別マーク３２０を生成し、生成された識別マーク及び超音波画像を表示する。【選択図】図１１
2019122539.tif 000002
【特許請求の範囲】
【請求項１】
短軸方向に並んだ複数の長軸方向の列に配列され、超音波を送受信する複数の振動子と、前記各列の振動子への駆動信号の入力及び受信信号の出力のオンオフを切替えるスイッチング素子と、を有する超音波探触子と、
前記スイッチング素子の切替えを介して、前記超音波探触子の各列の振動子に駆動信号を出力する送信部と、
前記スイッチング素子の切替えを介して、前記超音波探触子から前記各列の振動子に対応する受信信号を取得する受信部と、
前記各列に対応する受信信号から前記各列に対応する超音波画像データを生成する画像生成部と、
前記複数の超音波画像データのそれぞれの認識対象物の部分画像を前記各列で別々に識別可能な表現にし、当該部分画像を含む複数の超音波画像データを合成して合成画像データを生成する画像処理部と、
前記合成画像データの部分画像の表現が、当該合成画像データの合成画像の奥行き方向のどの位置に対応するかを示す第１の識別情報を生成する識別情報生成部と、
生成された前記第１の識別情報及び前記合成画像データを表示部に表示する表示制御部と、を備える超音波診断装置。
【請求項２】
前記超音波探触子は、前記短軸方向の位置に対応する前記部分画像の表現を示す識別部を備える請求項１に記載の超音波診断装置。
【請求項３】
前記識別部は、前記超音波探触子の表側及び裏側又はそのいずれか一方の位置に配置される請求項２に記載の超音波診断装置。
【請求項４】
前記識別部は、前記超音波探触子の側面の位置に配置される請求項３に記載の超音波診断装置。
【請求項５】
前記識別情報生成部は、前記各部分画像の表現が、前記超音波探触子の短軸方向の対応する位置を示す第２の識別情報を生成し、
前記表示制御部は、生成された前記第１の識別情報、前記第２の識別情報及び合成画像データを前記表示部に表示する請求項１から４のいずれか一項に記載の超音波診断装置。
【請求項６】
前記画像処理部は、前記短軸方向の中心に位置する少なくとも１つの列に対応する超音波画像データの認識対象物の部分画像の強調及び表現設定を行わない請求項１から５のいずれか一項に記載の超音波診断装置。
【請求項７】
超音波画像の左右反転又は上下反転の操作入力を受け付ける操作部を備え、
前記画像処理部は、前記左右反転又は上下反転の操作入力に応じて、前記合成画像データの合成画像の反転を行い、
前記識別情報生成部は、前記左右反転又は上下反転の操作入力に応じて、前記第１の識別情報の奥行き方向を逆にして表現を変更する請求項１から６のいずれか一項に記載の超音波診断装置。
【請求項８】
短軸方向に並んだ複数の長軸方向の列に配列され、超音波を送受信する複数の振動子と、前記各列の振動子への駆動信号の入力及び受信信号の出力のオンオフを切替えるスイッチング素子と、を有する超音波探触子と、
前記スイッチング素子の切替えを介して、前記超音波探触子の各列の振動子に駆動信号を出力する送信部と、
前記スイッチング素子の切替えを介して、前記超音波探触子から前記各列の振動子に対応する受信信号を取得する受信部と、
前記各列に対応する受信信号から前記各列に対応する超音波画像データを生成する画像生成部と、
前記複数の超音波画像データのそれぞれの認識対象物の部分画像を前記各列で別々に識別可能な表現にし、当該部分画像を含む複数の超音波画像データを合成して合成画像データを生成する画像処理部と、
前記生成された合成画像データを表示部に表示する表示制御部と、を備え、
前記超音波探触子は、前記短軸方向の位置に対応する前記部分画像の表現を示す識別部を備える超音波診断装置。
【請求項９】
短軸方向に並んだ少なくとも１つの長軸方向の列に配列され、超音波を送受信する複数の振動子と、
前記短軸方向の表裏を表現する識別部と、を有する超音波探触子と、
前記超音波探触子の振動子に駆動信号を出力する送信部と、
前記超音波探触子の振動子から受信信号を取得する受信部と、
前記受信信号から超音波画像データを生成する画像生成部と、
前記超音波画像データの表裏に対応する前記超音波探触子の表裏の少なくとも１つの表現を示す第３の識別情報を生成する識別情報生成部と、
生成された前記第３の識別情報及び前記超音波画像データを表示部に表示する表示制御部と、を備える超音波診断装置。
【請求項１０】
超音波画像の左右反転又は上下反転の操作入力を受け付ける操作部と、
前記左右反転又は上下反転の操作入力に応じて、前記超音波画像データの超音波画像の反転を行う画像処理部と、を備え、
前記識別情報生成部は、前記左右反転又は上下反転の操作入力に応じて、前記第３の識別情報の表裏の表現を逆にする請求項９に記載の超音波診断装置。
【発明の詳細な説明】
【技術分野】
【０００１】
本発明は、超音波診断装置に関する。
【背景技術】
【０００２】
従来、超音波を被検体内部に照射し、その反射された超音波を受信して所定の信号データ処理を行うことにより被検体の内部構造の超音波画像を生成する超音波診断装置が知られている。このような超音波診断装置は、医療目的の検査、治療や建築構造物内部の検査といった種々の用途に広く用いられている。
【０００３】
超音波診断装置は、超音波画像を表示させるだけではなく、被検体内の特定の部位（ターゲット）のサンプルを採取したり、水分などを排出したり、あるいは、特定の部位に薬剤やマーカーなどを注入、留置したりする際に、これらに用いられる穿刺針とターゲットの位置とを視認しながら当該穿刺針をターゲット位置に向けて刺入する場合にも用いられる。このような超音波画像の利用により、被検体内のターゲットに対する処置を迅速、確実かつ容易に行うことができる。
【０００４】
超音波診断装置では、一次元又は二次元マトリクス状に超音波の送受信を行う振動子が配列され、超音波の送受信を行う位置や方向を所定の配列方向に走査（特に、電子走査）させながら撮像を行うものが多く用いられている。穿刺針は、医師などの操作者の操作により、この走査方向（ラテラル方向）に沿って刺入されることで、被検体への刺入位置からターゲットへの到達までの間、継続的に撮像可能な範囲に位置する。穿刺針は、以前は、穿刺ガイドと呼ばれる超音波探触子に固定接続されたアタッチメントに取り付けられて刺入されていたが、現在では、操作者がフリーハンドで穿刺針を刺入することが多くなっている。
【０００５】
このため、穿刺針は、被検体の内部状態、構造や穿刺針の先端形状などにより、必ずしも最初の刺入方向に正確に向かわなかったり、穿刺針が湾曲してしまったりする場合がある。その結果、穿刺針の先端が走査方向に垂直なエレベーション方向に撮像可能な範囲から外れて撮像がなされなくなる場合が生じていた。また、穿刺を用いず、単純に断面画像を得る場合であっても、操作者が不慣れな場合には、超音波探触子の姿勢を変更させてエレベーション方向の撮像範囲を微調整する際にも、適切な変更が行えず、所望の画像を得るのに手間を要する場合があった。
【０００６】
このため、複数の振動子が２次元に配列された超音波探触子において、当該配列の長軸方向（走査方向）に垂直な短軸方向（エレベーション方向）の複数の振動子の個々に対し送受信信号を入出力する遅延回路及び偏向切替スイッチを有する偏向制御回路を備え、偏向制御回路により、送信信号のタイミングをずらし、受信信号に遅延をかけて加算することにより、超音波ビームを短軸方向に偏向して、ターゲットから短軸方向にずれた穿刺針を表示させる超音波診断装置が知られている（特許文献１参照）。
【０００７】
また、複数の振動子が２次元に配列され全体が略同一曲率の音響レンズで覆われた超音波探触子において、複数の振動子が短軸方向に分割され、分割された一部の振動子群を送受信に用いることで、超音波ビームを短軸方向に偏向して、ターゲットから短軸方向にずれた穿刺針を表示させる超音波診断装置が知られている（特許文献２参照）。
【０００８】
また、一方の側面にフロントマークを設けることにより、操作者の把持方向を判別できる超音波探触子が知られている（特許文献３参照）。また、一方の側面などに、すべり止め部を設けることにより、操作者が上下左右を識別できる超音波診断装置用プローブ（超音波探触子）が知られている（特許文献４参照）。
【先行技術文献】
【特許文献】
【０００９】
【特許文献１】特開２０００−１３９９２６号公報
【特許文献２】特開２０１６−４７１９１号公報
【特許文献３】特開２００６−３２６２０４号公報
【特許文献４】特開平９−３１３４９１号公報
【発明の概要】
【発明が解決しようとする課題】
【００１０】
しかし、特許文献１、２の技術において、超音波画像として１つの断層画像を表示する場合に、操作者が短軸方向にそれた穿刺針を視認できるが、それている方向が断層画像の手前側か奥側かを認識できなかった。また、特許文献３、４の技術では、操作者が超音波探触子の把持方向を認識できるが、表示されている断層画像と超音波探触子との関係を操作者が容易に認識できなかった。
【００１１】
本発明の課題は、穿刺針などの認識対象物の奥行き方向の位置を容易に認識することである。
【課題を解決するための手段】
【００１２】
上記課題を解決するため、請求項１に記載の発明の超音波診断装置は、
短軸方向に並んだ複数の長軸方向の列に配列され、超音波を送受信する複数の振動子と、前記各列の振動子への駆動信号の入力及び受信信号の出力のオンオフを切替えるスイッチング素子と、を有する超音波探触子と、
前記スイッチング素子の切替えを介して、前記超音波探触子の各列の振動子に駆動信号を出力する送信部と、
前記スイッチング素子の切替えを介して、前記超音波探触子から前記各列の振動子に対応する受信信号を取得する受信部と、
前記各列に対応する受信信号から前記各列に対応する超音波画像データを生成する画像生成部と、
前記複数の超音波画像データのそれぞれの認識対象物の部分画像を前記各列で別々に識別可能な表現にし、当該部分画像を含む複数の超音波画像データを合成して合成画像データを生成する画像処理部と、
前記合成画像データの部分画像の表現が、当該合成画像データの合成画像の奥行き方向のどの位置に対応するかを示す第１の識別情報を生成する識別情報生成部と、
生成された前記第１の識別情報及び前記合成画像データを表示部に表示する表示制御部と、を備える。
【００１３】
請求項２に記載の発明は、請求項１に記載の超音波診断装置において、
前記超音波探触子は、前記短軸方向の位置に対応する前記部分画像の表現を示す識別部を備える。
【００１４】
請求項３に記載の発明は、請求項２に記載の超音波診断装置において、
前記識別部は、前記超音波探触子の表側及び裏側又はそのいずれか一方の位置に配置される。
【００１５】
請求項４に記載の発明は、請求項３に記載の超音波診断装置において、
前記識別部は、前記超音波探触子の側面の位置に配置される。
【００１６】
請求項５に記載の発明は、請求項１から４のいずれか一項に記載の超音波診断装置において、
前記識別情報生成部は、前記各部分画像の表現が、前記超音波探触子の短軸方向の対応する位置を示す第２の識別情報を生成し、
前記表示制御部は、生成された前記第１の識別情報、前記第２の識別情報及び合成画像データを前記表示部に表示する。
【００１７】
請求項６に記載の発明は、請求項１から５のいずれか一項に記載の超音波診断装置において、
前記画像処理部は、前記短軸方向の中心に位置する少なくとも１つの列に対応する超音波画像データの認識対象物の部分画像の強調及び表現設定を行わない。
【００１８】
請求項７に記載の発明は、請求項１から６のいずれか一項に記載の超音波診断装置において、
超音波画像の左右反転又は上下反転の操作入力を受け付ける操作部を備え、
前記画像処理部は、前記左右反転又は上下反転の操作入力に応じて、前記合成画像データの合成画像の反転を行い、
前記識別情報生成部は、前記左右反転又は上下反転の操作入力に応じて、前記第１の識別情報の奥行き方向を逆にして表現を変更する。
【００１９】
請求項８に記載の発明の超音波診断装置は、
短軸方向に並んだ複数の長軸方向の列に配列され、超音波を送受信する複数の振動子と、前記各列の振動子への駆動信号の入力及び受信信号の出力のオンオフを切替えるスイッチング素子と、を有する超音波探触子と、
前記スイッチング素子の切替えを介して、前記超音波探触子の各列の振動子に駆動信号を出力する送信部と、
前記スイッチング素子の切替えを介して、前記超音波探触子から前記各列の振動子に対応する受信信号を取得する受信部と、
前記各列に対応する受信信号から前記各列に対応する超音波画像データを生成する画像生成部と、
前記複数の超音波画像データのそれぞれの認識対象物の部分画像を前記各列で別々に識別可能な表現にし、当該部分画像を含む複数の超音波画像データを合成して合成画像データを生成する画像処理部と、
前記生成された合成画像データを表示部に表示する表示制御部と、を備え、
前記超音波探触子は、前記短軸方向の位置に対応する前記部分画像の表現を示す識別部を備える。
【００２０】
請求項９に記載の発明の超音波診断装置は、
短軸方向に並んだ少なくとも１つの長軸方向の列に配列され、超音波を送受信する複数の振動子と、
前記短軸方向の表裏を表現する識別部と、を有する超音波探触子と、
前記超音波探触子の振動子に駆動信号を出力する送信部と、
前記超音波探触子の振動子から受信信号を取得する受信部と、
前記受信信号から超音波画像データを生成する画像生成部と、
前記超音波画像データの表裏に対応する前記超音波探触子の表裏の少なくとも１つの表現を示す第３の識別情報を生成する識別情報生成部と、
生成された前記第３の識別情報及び前記超音波画像データを表示部に表示する表示制御部と、を備える。
【００２１】
請求項１０に記載の発明は、請求項９に記載の超音波診断装置において、
超音波画像の左右反転又は上下反転の操作入力を受け付ける操作部と、
前記左右反転又は上下反転の操作入力に応じて、前記超音波画像データの超音波画像の反転を行う画像処理部と、を備え、
前記識別情報生成部は、前記左右反転又は上下反転の操作入力に応じて、前記第３の識別情報の表裏の表現を逆にする。
【発明の効果】
【００２２】
本発明によれば、認識対象物の奥行き方向の位置を容易に認識できる。
【図面の簡単な説明】
【００２３】
【図１】本発明の実施の形態の超音波診断装置の全体図である。
【図２】超音波診断装置の内部構成を示すブロック図である。
【図３】超音波探触子における振動子の配列の一例を示す図である。
【図４】（ａ）は、超音波ガイド下穿刺における平行法を示す概略図である。（ｂ）は、超音波ガイド下穿刺における交差法を示す概略図である。
【図５】超音波探触子の短軸方向における概略構成を示す図である。
【図６】（ａ）は、実施の形態の超音波探触子の表面の平面図である。（ｂ）は、実施の形態の超音波探触子の裏面の平面図である。
【図７】異なる外形例の超音波探触子の側面図である。
【図８】穿刺針画像表示処理を示すフローチャートである。
【図９】（ａ）は、実施の形態の手前側が赤色の識別マークを示す図である。（ｂ）は、実施の形態の手前側が緑色の識別マークを示す図である。
【図１０】（ａ）は、手前側が赤色のプローブマークを示す図である。（ｂ）は、手前側が緑色のプローブマークを示す図である。
【図１１】実施の形態の超音波診断画面を示す図である。
【図１２】第１の変形例の超音波診断画面を示す図である。
【図１３】（ａ）は、第２の変形例の超音波探触子の表面の平面図である。（ｂ）は、第２の変形例の超音波探触子の裏面の平面図である。
【図１４】（ａ）は、第２の変形例の手前側が赤色の識別マークを示す図である。（ｂ）は、第２の変形例の手前側が緑色の識別マークを示す図である。
【発明を実施するための形態】
【００２４】
添付図面を参照して、本発明に係る実施の形態及び第１、第２の変形例を順に詳細に説明する。なお、本発明は、図示例に限定されるものではない。
【００２５】
（実施の形態）
図１〜図９を参照して、本発明に係る実施の形態を説明する。まず、図１及び図２を参照して、本実施の形態の超音波診断装置Ｕの全体の装置構成を説明する。図１は、本実施の形態の超音波診断装置Ｕの全体図である。図２は、超音波診断装置Ｕの内部構成を示すブロック図である。
【００２６】
図１に示すように、超音波診断装置Ｕは、超音波診断装置本体１と、ケーブル５を介して超音波診断装置本体１に接続された超音波探触子２と、認識対象物としての処置具である穿刺針３と、を備える。
【００２７】
穿刺針３は、ここでは、中空状の長針形状を有し、医師などの操作者によりフリーハンドで定められた角度で被検体に対して刺入される。穿刺針３は、患者などの被検体の採取する部位（ターゲット）又は注入される薬剤などの種別や分量に応じて適宜な太さ、長さや先端形状を有したものに換装されることが可能となっている。なお、超音波診断装置Ｕにおいて、穿刺針３を穿刺方向に案内するアタッチメントとしての取付部や、超音波探触子２に固定的に設けられて穿刺針３を穿刺方向に案内する案内部が設けられる構成でもよい。
【００２８】
超音波診断装置本体１には、操作部としての操作入力部１８と、表示部としての出力表示部１９と、が設けられている。また、図２に示すように、超音波診断装置本体１は、これらに加えて、識別情報生成部、表示制御部としての制御部１１、送信部としての送信駆動部１２、受信部としての受信処理部１３、送受信切替部１４、画像生成部１５、画像処理部１６などを備える。制御部１１は、操作入力部１８のキーボードやマウスといった入力デバイスに対する外部からの入力操作に基づき、超音波探触子２に駆動信号を出力して超音波を出力させ、また、超音波探触子２から超音波受信に係る受信信号を取得して各種処理を行い、必要に応じて出力表示部１９の表示画面などに結果などを表示させる。
【００２９】
制御部１１は、ＣＰＵ（Central Processing Unit）、ＨＤＤ（Hard Disk Drive）及びＲＡＭ（Random Access Memory）などを備えている。ＣＰＵは、ＨＤＤに記憶されている各種プログラムを読み出してＲＡＭにロードし、当該プログラムに従って超音波診断装置Ｕの各部の動作を統括制御する。ＨＤＤは、超音波診断装置Ｕを動作させる制御プログラム及び各種処理プログラムや、各種設定データなどを記憶する。ＨＤＤには、特に、後述する穿刺針画像表示処理を行うための穿刺針画像表示プログラムが記憶されている。これらのプログラムや設定データは、ＨＤＤの他、例えば、ＳＳＤ（Solid State Drive）を含むフラッシュメモリーなどの不揮発性メモリーを用いた補助記憶装置に読み書き更新可能に記憶させることとしてもよい。ＲＡＭは、ＳＲＡＭやＤＲＡＭなどの揮発性メモリーであり、ＣＰＵに作業用のメモリー空間を提供し、一時データを記憶する。
【００３０】
送信駆動部１２は、制御部１１から入力される制御信号に従って超音波探触子２に供給する駆動信号を出力し、超音波探触子２に超音波を発信させる。送信駆動部１２は、例えば、クロック発生回路、パルス幅設定部、パルス発生回路及び遅延回路を備える。クロック発生回路は、パルス信号の送信タイミングや送信周波数を決定するクロック信号を発生させる回路である。パルス幅設定部は、パルス発生回路から出力させる送信パルスの波形（形状）、電圧振幅及びパルス幅を設定する。パルス発生回路は、パルス幅設定部の設定に基づいて駆動信号としての送信パルスを生成し、超音波探触子２の個々の振動子２１０ごとに異なる配線経路に出力する。遅延回路は、クロック発生回路から出力されるクロック信号を計数し、設定された遅延時間が経過すると、パルス発生回路に送信パルスを発生させて各配線経路に出力させる。
【００３１】
受信処理部１３は、制御部１１の制御に従って、超音波探触子２から入力された受信信号を取得する回路である。受信処理部１３は、例えば、増幅器、Ａ／Ｄ（Analog to Digital）変換回路、整相加算回路を備えている。増幅器は、超音波探触子２の各振動子２１０により受信された超音波に応じた受信信号を予め設定された所定の増幅率でそれぞれ増幅する回路である。Ａ／Ｄ変換回路は、増幅された受信信号を所定のサンプリング周波数でデジタルデータに変換する回路である。整相加算回路は、Ａ／Ｄ変換された受信信号に対して、振動子２１０毎に対応した配線経路ごとに遅延時間を与えて時相を整え、これらを加算（整相加算）して音線データを生成する回路である。
【００３２】
送受信切替部１４は、制御部１１の制御に基づいて、振動子２１０から超音波を出射（送信）する場合に駆動信号を送信駆動部１２から振動子２１０に送信させる一方、振動子２１０が出射した超音波に係る信号を取得する場合に受信信号を受信処理部１３に出力させるための切り替え動作を行う。
【００３３】
画像生成部１５は、超音波の受信データに基づく診断用画像を生成する。画像生成部１５は、受信処理部１３から入力される音線データを検波（包絡線検波）して信号を取得し、また、必要に応じて対数増幅、フィルタリング（例えば、低域透過、スムージングなど）や強調処理などを行う。画像生成部１５は、診断用画像の一つとして、当該信号強度に応じた輝度信号で信号の送信方向（被検体の深さ方向）と超音波探触子２により送信される超音波の走査方向（ラテラル方向、振動子２１０の２次元配列の長軸方向）を含む断面内の二次元構造を表す断層画像としてのＢ（Brightness）モード表示に係る各フレーム画像データを生成する。このとき、画像生成部１５は、表示に係るダイナミックレンジの調整やガンマ補正などを行うことができる。この画像生成部１５は、これらの画像生成に用いられる専用のＣＰＵやＲＡＭを備える構成とすることができる。または、画像生成部１５では、画像生成に係る専用のハードウェア構成が基板（ＡＳＩＣ（Application-Specific Integrated Circuit）など）上に形成されて、又はＦＰＧＡ（Field Programmable Gate Array）により形成されて備えられていてもよい。あるいは、画像生成部１５は、制御部１１のＣＰＵ及びＲＡＭにより画像生成に係る処理が行われる構成であってもよい。
【００３４】
画像処理部１６は、記憶部１６１、穿刺針同定部１６２などを備える。記憶部１６１は、画像生成部１５で処理されてリアルタイム表示やこれに準じた表示に用いられる診断用画像データ（フレーム画像データ）をフレーム単位で直近の所定フレーム数分記憶する。記憶部１６１は、例えば、ＤＲＡＭ（Dynamic Random Access Memory）などの揮発性メモリーである。あるいは、この記憶部１６１は、高速書き換えが可能な各種不揮発性メモリーであってもよい。記憶部１６１に記憶された診断用画像データは、制御部１１の制御に従って読み出され、出力表示部１９に送信されたり、図示略の通信部を介して超音波診断装置Ｕの外部に出力されたりする。このとき、出力表示部１９の表示方式がテレビジョン方式の場合には、記憶部１６１と出力表示部１９との間にＤＳＣ（Digital Scan Converter）が設けられて、走査フォーマットが変換された後に出力されればよい。
【００３５】
穿刺針同定部１６２は、穿刺針３の位置を同定するための画像データを生成し、当該画像データに適宜な処理を行って穿刺針３の先端部分を含む位置の針部分画像を抽出して同定し、抽出した穿刺針３の針部分画像に色付けを行う。穿刺針同定部１６２は、画像処理部１６のＣＰＵ及びＲＡＭを共用で用いてもよいし、各々専用のＣＰＵ及びＲＡＭを備えてもよい。あるいは、穿刺針同定部１６２は、制御部１１のＣＰＵ及びＲＡＭにより各種処理が行われてもよい。穿刺針同定部１６２は、同定された穿刺針３の先端位置情報を履歴として記憶保持することができる。
【００３６】
穿刺針３の位置の同定方法としては、例えば、特許第６１２３４５８号公報に記載のように、複数フレームの超音波画像データからフレーム間の差分や相関をとることで動きの評価を示す動き評価情報を生成し、穿刺針の先端の移動速度を演算し、穿刺針の先端の移動速度と動き評価情報とから穿刺針の先端の位置を検出し、先端を含む穿刺針の位置を同定する方法がある。また、穿刺針３の先端の移動履歴に基づいてその後の先端の位置を推定し、当該推定位置を基準として先端を検出し、先端を含む穿刺針の位置を同定してもよい。また、輪郭検知を行って最初に得られた候補の中から操作者が操作入力部１８への入力操作により選択し、当該選択された輪郭と類似する輪郭を上述の推定位置を基準として穿刺針の位置を検出することとしてもよい。
【００３７】
操作入力部１８は、押しボタンスイッチ、キーボード、マウス若しくはトラックボール又はこれらの組み合わせを備えており、ユーザーの入力操作を操作信号に変換し、超音波診断装置本体１に入力する。
【００３８】
出力表示部１９は、ＬＣＤ（Liquid Crystal Display）、有機ＥＬ（Electro-Luminescent）ディスプレイ、無機ＥＬディスプレイ、プラズマディスプレイ、ＣＲＴ（Cathode Ray Tube）ディスプレイといった種々の表示方式のうち、何れかを用いた表示画面とその駆動部を備える。出力表示部１９は、ＣＰＵ１５から出力された制御信号や、画像処理部１６で生成された画像データに従って表示画面（各表示画素）の駆動信号を生成し、表示画面上に超音波診断に係るメニュー、ステータスや、受信された超音波に基づく計測データの表示を行う。また、出力表示部１９は、ＬＥＤ（Light Emitting Diode）ランプなどを別途備えて電源の投入有無などの表示を行う構成であってもよい。
【００３９】
これらの操作入力部１８や出力表示部１９は、超音波診断装置本体１の筐体に一体となって設けられたものであってもよいし、ＲＧＢケーブル、ＵＳＢ（Universal Serial Bus）ケーブルやＨＤＭＩ（High-Definition Multimedia Interface）ケーブル（登録商標：ＨＤＭＩ）などを介して外部に取り付けられるものであってもよい。また、超音波診断装置本体１に操作入力端子や表示出力端子が設けられていれば、これらの端子に操作用及び表示用の周辺機器を接続して利用するものであってもよい。
【００４０】
超音波探触子２は、超音波（ここでは、１〜３０ＭＨｚ程度）を発信して生体などの被検体に対して出射するとともに、出射した超音波のうち被検体で反射された反射波（エコー）を受信して電気信号に変換する音響センサーとして機能する。
【００４１】
超音波探触子２は、超音波を送受信する複数の振動子２１０と、振動子２１０に各々対応する複数のスイッチング素子２３０と、切替設定部２４と、を備える。なお、ここでは、超音波探触子２を外部（体表面）から被検体内部に超音波を出射してその反射波を受信するものとしているが、超音波探触子２としては、消化管や血管などの内部や、体腔内などに挿入して用いるサイズ、形状のものも含まれる。操作者は、この超音波探触子２における超音波の送受信面、即ち、振動子２１０から超音波を出射する方向の面を被検体に所定の圧力で接触させて超音波診断装置Ｕを動作させ、超音波診断を行う。
【００４２】
なお、振動子２１０の振動子の個数は、任意に設定することができる。また、本実施の形態では、超音波探触子２について、リニア走査方式の電子スキャンプローブを採用するものとするが、電子走査方式あるいは機械走査方式の何れを採用してもよく、また、リニア走査方式、セクター走査方式あるいはコンベックス走査方式の何れの方式を採用することもできる。
【００４３】
振動子２１０は、圧電体とその変形（伸縮）により電荷が現れる両端に設けられた電極とを有する圧電素子を備えた複数の振動子である。
【００４４】
複数の振動子２１０のそれぞれに対して駆動信号としての電圧パルスが供給されることで、当該電圧パルスが供給された振動子の圧電体は、当該圧電体に生じる電界に応じて変形（伸縮）し、超音波が発信される。発信された超音波は、電圧パルスが供給された所定数の振動子列に含まれる振動子２１０の位置、方向、発信された超音波の集束方向及びタイミングのずれ（遅延）の大きさに応じた位置、方向に出射される。また、振動子２１０に所定の周波数帯の超音波（被検体での反射波）が入射すると、その音圧により圧電体の厚さが変動（振動）することで当該変動量に応じた電荷が生じ、当該電荷量に応じた電気信号に変換し、受信信号として出力される。
【００４５】
切替設定部２４は、超音波の送受信を振動子２１０の２次元配列の短軸方向（エレベーション方向）にわたり行うための振動子２１０の送受信シーケンスの設定を記憶し、当該設定に応じた各振動子２１０に対応するスイッチング素子２３０のオンオフを切替動作させる。振動子２１０の送受信シーケンスについては、後述する。
【００４６】
ケーブル５は、その両端にそれぞれ超音波診断装置本体１とのコネクター（図示略）及び超音波探触子２とのコネクター（図示略）を有し、超音波探触子２は、このケーブル５により超音波診断装置本体１に対して着脱可能に構成されている。ケーブル５は、超音波探触子２と一体に形成されていてもよい。
【００４７】
ここで、図３〜図７を参照して、超音波探触子２のより詳細な構成及び動作を説明する。図３は、超音波探触子２における振動子２１０の配列の一例を示す図である。図４（ａ）は、超音波ガイド下穿刺における平行法を示す概略図である。図４（ｂ）は、超音波ガイド下穿刺における交差法を示す概略図である。図５は、超音波探触子２の短軸方向における概略構成を示す図である。図６（ａ）は、超音波探触子２の表面の平面図である。図６（ｂ）は、超音波探触子２の裏面の平面図である。図７は、異なる外形例の超音波探触子２Ｄの側面図である。
【００４８】
図３に示すように、超音波診断装置Ｕでは、振動子２１０は、所定のラテラル方向（走査方向）と、ラテラル方向に直交するエレベーション方向と、で規定される二次元面（平面でなくてもよい）内でマトリクス状に配列された複数の振動子ある。通常、ラテラル方向への振動子２１０の配列数は、エレベーション方向への振動子２１０の配列数よりも多く、ラテラル方向が長軸方向、エレベーション方向が短軸方向となる。振動子２１０は、短軸方向に３列（列ａ，ｂ，ｃ）の振動子群を有し、各列で長軸方向に複数段（段１，２…）の振動子が配列されている。ここで、列ａの振動子群を便宜的に振動子ＶＡと表現し、同様に、列ｂ，ｃの振動子群を便宜的に振動子ＶＢ，ＶＣと表現する。また、段ｘ、列ｙの１つの振動子を、振動子Ｖｘｙと表現する。
【００４９】
通常のＢモード（断層）画像を生成する場合には、列ｂの振動子ＶＢを用いて長軸方向に駆動する振動子を順次ずらしながら超音波の送受信を行う。
【００５０】
ここで、図４（ａ）、図４（ｂ）を参照して、超音波ガイド下における穿刺針３の穿刺法として、平行法と、交差法と、を説明する。
【００５１】
図４（ａ）に示すように、平行法は、被検体ＳＵの穿刺による組織取得などのターゲットＴに向かって、長軸方向に平行に穿刺針３を刺入する方法である。図４（ｂ）に示すように、交差法は、被検体ＳＵのターゲットＴに向かって、長軸方向に直交な方向に穿刺針３を刺入する方法である。平行法及び交差法は、用途により使い分けられる。穿刺を行なう部位や、穿刺の目的によりどちらの手法を用いるかが決まることが多いが、術者の経験値により選択される場合もある。
【００５２】
平行法においては、穿刺針を刺入する場合、超音波探触子の長軸端から穿刺針を被検体ＳＵに刺し、振動子ＶＢに対応する１列の長軸の穿刺針で形成される断層面内を深いところに向かって刺入していることになる。この際に断層面内から穿刺針３が短軸方向に逸れてしまった場合、従来の超音波診断装置では、穿刺針３が描写されなくなってしまう。
【００５３】
交差法においては、超音波探触子の短軸側から穿刺針３を被検体ＳＵに斜めに刺入して、超音波探触子直下にあるターゲットＴに刺入する。従来の交差法において、一般の超音波探触子を用いると、体表に刺した穿刺針３は、かなりの深さになっても超音波画像には表示されず、ターゲットＴの直近において、初めて超音波画像に穿刺針の像が現れる。このため、刺入した穿刺針３が正しい方向に向かって進んでいるのかを知ることが難しい。
【００５４】
本実施の形態では、平行法及び交差法のいずれにおいても、広い領域で穿刺針３を捕捉するため、同一時刻で、振動子ＶＢによる超音波画像のフレームに加えて、振動子ＶＡによる超音波画像のフレームと、振動子ＶＣによる超音波画像のフレームと、を得るものとする。
【００５５】
図５に示すように、超音波探触子２は、長軸端から見た短軸方向において、音響レンズ２２０と、振動子ＶＡ，ＶＢ，ＶＣと、振動子ＶＡ，ＶＢ，ＶＣにそれぞれ対応するスイッチング素子２３０のスイッチＳＷＡ，ＳＷＢ，ＳＷＣと、を有する。なお、音響レンズ２２０と振動子ＶＡ，ＶＢ，ＶＣとの間に配置される音響整合層や、振動子ＶＡ，ＶＢ，ＶＣの超音波出射方向と逆側に配置されるバッキング材などは、図示を省略しているものとする。
【００５６】
音響レンズ２２０は、振動子ＶＡ，ＶＢ，ＶＣから出射された超音波ビーム（送信超音波）を集束させる非球面形状のレンズである。音響レンズ２２０は、振動子ＶＡから出射される超音波ビームＢａが通過するレンズ部２２１Ａと、振動子ＶＢから出射される超音波ビームＢｂが通過するレンズ部２２１Ｂと、振動子ＶＣから出射される超音波ビームＢｃが通過するレンズ部２２１Ｃと、を有する。
【００５７】
スイッチＳＷＡは、切替設定部２４、ケーブル５を介して、送受信切替部１４からの振動子ＶＡの各振動子への駆動信号の入力、受信信号の出力を独立にオンオフ可能なスイッチである。スイッチＳＷＢは、切替設定部２４、ケーブル５を介して、送受信切替部１４からの振動子ＶＢの各振動子への駆動信号の入力、受信信号の出力を独立にオンオフ可能なスイッチである。スイッチＳＷＣは、切替設定部２４、ケーブル５を介して、送受信切替部１４からの振動子ＶＣの各振動子への駆動信号の入力、受信信号の出力を独立にオンオフ可能なスイッチである。
【００５８】
また、本実施の形態において、振動子ＶＡ，ＶＢ，ＶＣは、超音波ビームＢａ，Ｂｂ，Ｂｃがある程度の深さまでおおよそ重ならず、かつ隙間があかないように、配置されている。
【００５９】
振動子ＶＢの短軸幅は、通常の超音波走査に耐えうるだけの幅を持つ。振動子ＶＢを覆う音響レンズ２２０のレンズ部２２１Ｂは、通常の超音波走査に用いることが可能なビーム形成能力を有しているものとする。振動子ＶＡ，ＶＣの短軸幅は、振動子ＶＢより狭くともよいが、刺入された穿刺針３の反射波（エコー）が十分得られるだけの幅を持つものとする。なお、振動子ＶＡ，ＶＣを覆う音響レンズ２２０のレンズ部２２１Ａ，２２１Ｃは、レンズ部２２１Ｂに比べて曲率半径が大きくなるような非球面形状が望ましいが、斜め平坦の形状を用いることも可能である。また、斜めでなく平坦という形状もまったく不可ではないが、後に述べる振動子ＶＢによる超音波ビームＢｂとの融合を考えると斜めであるほうが望ましい。レンズ部２２１Ｂのレンズ形状も、通常の超音波走査において不都合（たとえばサイドローブが大きくなるなど）が起こらなければ、レンズ部２２１Ａ，２２１Ｃと滑らかに接続できるという利点において、非球面形状であってもよい。
【００６０】
穿刺針３の位置を的確に捕捉するためには、振動子ＶＡ，ＶＢ，ＶＣで送受信される超音波ビームＢａ，Ｂｂ，Ｂｃの占める位置は、排他的であることが望ましい。排他的であることによって穿刺針３からの反射波（エコー）は、振動子ＶＡ，ＶＢ，ＶＣのいずれか１つからの反射波にしか含まれないため、判別が容易になるためである。
【００６１】
しかしながら、超音波ビームの指向性は、なだらかな裾野を持つ形状をしているために、各超音波ビームＢａ，Ｂｂ，Ｂｃは裾野において重なりあうため、図５に示すように、完全に排他的にはならない。短軸方向の方位角に対する、ある深さにおける超音波ビームＢａ，Ｂｂ，Ｂｃの指向性のグラフにおいて、どの超音波ビームに穿刺針３の反射波が含まれるかの判別を容易にするためには、好ましくは隣接する超音波ビームが同じレベルになる点が、送信又は受信の超音波ビームのピークから−６［ｄＢ］〜−１２［ｄＢ］であることが経験上明らかになっている。また、振動子ＶＡ，ＶＣの指向性のピークの高さを、振動子ＶＢの指向性の高さに揃える補正を行う構成としてもよい。振動子間の感度に差異が大きい場合はこのようにして、針位置の捕捉を正確に行うことができるようになる。また、深さによっても振動子間の感度の差異が発生するので、差異が大きい場合は補正をおこなってもよい。
【００６２】
ここで、本実施の形態における音響レンズ２２０の適切な形状を説明する。まず、振動子ＶＢの超音波ビームは、振動子ＶＢ付近から焦点に向かって超音波ビームが細くなる。つまり、振動子ＶＡ及びＶＣによる超音波ビームは、振動子ＶＢの細くなる超音波ビームの左右を埋める（指向性を持つ）必要がある。振動子ＶＡの超音波ビームと振動子ＶＢの超音波ビームとの指向性に、又は振動子ＶＣの超音波ビームと振動子ＶＢの超音波ビームとの指向性に、隙間（厳密には双方の超音波ビームの感度が低いゾーン）があると、その部分に穿刺針３が位置したときに、捕捉が困難になる。したがって、振動子ＶＡによる超音波ビーム、振動子ＶＣによる超音波ビームが内側に偏向するような音響レンズのレンズ形状であることが望ましい。
【００６３】
しかし、振動子ＶＡ，ＶＣの超音波ビームが振動子ＶＡ，ＶＣに近い、浅い位置で集束すると、交差法の穿刺において、刺入した穿刺針３がなかなか超音波ビームの中に入ってこない、つまり捕捉できない。このことから考えると、振動子ＶＡ，ＶＣの超音波ビームは、偏向するが、集束位置が深い位置にある、又は集束しないことが望ましい。
【００６４】
振動子ＶＡによる超音波ビーム、振動子ＶＣによる超音波ビームが内側に偏向するようなレンズ形状の音響レンズを用いた場合には、深さが深くなるにつれ、振動子ＶＡ，ＶＣによる超音波ビームは、振動子ＶＢによる中央の超音波ビームと重なってしまい、穿刺針３位置の判別ができなくなる。したがって、偏向角度はあまり大きすぎないようにし、臨床上問題がない深さまで、針位置の判別ができるよう、各振動子ＶＡ，ＶＢ，ＶＣによる超音波ビームが分離することが望ましい。
【００６５】
どの深さまで分離されるのかは、診断部位にもよるが、例えば超音波探触子２として高周波リニアプローブを用いる場合においては、２５〜３０［ｍｍ］までは分離可能であることが望ましい。上記のような条件に合う音響レンズの形状としては、図５に示すような非球面形状の音響レンズ２２０のレンズ形状が挙げられる。音響レンズ２２０においては、振動子ＶＢに対応するレンズ部２２１Ｂで曲率がきつく（曲率半径が小さく）、振動子ＶＡ及びＶＣに対応するレンズ部２２１Ａ，２２１Ｃでは、曲率が緩い（曲率半径が大きい）形状となっている。
【００６６】
平行法において、図５に示すように、音響レンズ２２０を用いるが、スイッチＳＷＢをオンにし、スイッチＳＷＡ，ＳＷＣをオフにした場合には、振動子ＶＢを用いて超音波の送受信を行うが、この場合に動作については、上述したように、従来の超音波診断装置の超音波の送受信と変わらない。
【００６７】
仮にスイッチＳＷＡをオンにし、スイッチＳＷＢ，ＳＷＣをオフにした場合には、振動子ＶＡにより超音波の送受信が行われるが、振動子ＶＡに対応するレンズ部２２１Ａが略斜めの非球面形状であるために、超音波の送受信ビームは、振動子中心側に偏向し、かつ送受信ビームと中心線の交点は、振動子ＶＢに対応するレンズ部２２１Ｂの集束点に比較して遠い位置になる。レンズ部２２１Ａ，２２１Ｃに曲率を設ける場合は、この交点付近で集束するような曲率にすることが望ましい。音響レンズ２２０、振動子ＶＡ，ＶＢ，ＶＣにより形成した各超音波の送受信ビームは、所望の深さまで、それぞれが重複することなく、また、隙間（センシング上の死角）があくこともない。本実施の形態では、平行法において、振動子ＶＢを用いた断層画像のほか、振動子ＶＡ，ＶＣのそれぞれを用いた断層画像を形成するため、振動子ＶＢによる断層画像面から逸れた穿刺針を捕捉することが可能である。
【００６８】
また、交差法について、図４（ｂ）に示すように、本実施の形態の超音波探触子２においては、被検体ＳＵ内のターゲットＴは、振動子ＶＢによる断層画像内にある。一方で刺入されてきた穿刺針３は、振動子ＶＡ（又は振動子ＶＣ）による断層画像において、通常の超音波探触子を用いた場合に比較してかなり早くに捕捉可能である。一例としては、刺入角４５度で深さ１ｃｍのターゲットに対し刺入した場合、振動子ＶＢの超音波ビーム幅が１．８ｍｍだとすると、通常の超音波探触子では、ターゲット手前約１ｍｍにおいて初めて穿刺針が映ったのに対し、本実施形態の超音波探触子２では、約４ｍｍ手前から確認が可能であった。このように、本実施の形態の交差法を行った場合、ターゲットＴより、かなり手前から穿刺針３の位置の確認ができ、穿刺作業を容易にすることができる。
【００６９】
ここで、図３を参照して、本実施の形態の振動子２１０の送受信シーケンスを説明する。上述したように、音響レンズ２２０、振動子ＶＡ，ＶＢ，ＶＣ、スイッチＳＷＡ，ＳＷＢ，ＳＷＣを用いる構成において、振動子ＶＢで形成された超音波ビームＢｂから逸脱した穿刺針３の反射波（エコー）を得るために、振動子ＶＡ，ＶＢを用いて超音波の送受信を行うが、この場合の走査（超音波送受信）は、例えば、振動子Ｖ１ａ，Ｖ１ｂ，Ｖ１ｃ，Ｖ２ａ，Ｖ２ｂ，Ｖ２ｃ，Ｖ３ａ，Ｖ３ｂ，Ｖ３ｃ…の順に行うことができる。このような走査シーケンスが、切替設定部２４に記憶されている。
【００７０】
しかし、この場合、送受信回数が３倍となるため、Ｂモード断層画像表示のフレームレートは３分の１に低下してしまう。そこで穿刺針３の捕捉のための振動子ＶＡ，ＶＣの走査を間引いて、例えば、振動子Ｖ１ａ，Ｖ１ｂ，Ｖ１ｃ，Ｖ２ｂ，Ｖ３ａ，Ｖ３ｂ，Ｖ３ｃ，Ｖ４ｂ，Ｖ５ａ，Ｖ５ｂ，Ｖ５ｃ…の順に行い、フレームレートの低下をおさえることも可能である。なお、上記の説明は、簡略化のため長軸方向に１つの振動子を走査に用いる場合を説明したが、実際には長軸方向の送受信ビーム形成のために複数の振動子を用いる。また、この他に、すでに公知である長軸方向の並列受信などを用いてフレームレートを上げるなどの方法を適用することも可能である。
【００７１】
ついで、図６、図７を参照して、超音波探触子２の外形を説明する。図６（ａ）、図６（ｂ）に示すように、超音波探触子２の外形のケース部２５には、表裏に識別部２６Ａ，２６Ｃが形成されている。ケース部２５は、振動子２１０、音響レンズ２２０、スイッチング素子２３０、切替設定部２４などの部品を格納する。特に、超音波探触子２の表裏の短軸方向に、図３の振動子ＶＡ，ＶＢ，ＶＣが配列されて格納されているものとする。ケース部２５の表側に形成された識別部２６Ａは、図３の表側の振動子ＶＡに対応する色として、赤色の塗料で塗られた部分である。ケース部２５の裏側に形成された識別部２６Ｃは、図３の裏側の振動子ＶＣに対応する色として、緑色の塗料で塗られた部分である。なお、識別部２６Ａ，２６Ｃは、赤色、緑色のシールや、ケース部２５に着脱可能な赤色、緑色の部分を有するカバー（アダプター）などで構成してもよい。さらに、識別部２６Ａ，２６Ｃは、操作者が手の触感でも互いに識別可能な構成としてもよく、例えば、識別部２６Ａを凸部として形成し、識別部２６Ｃを凹部として形成する構成としてもよい。
【００７２】
図６（ａ）、図６（ｂ）、図７の図上において、赤色を「網掛け模様」で表現し、緑色を「ハッチング」で表現した。これらの色の表現は、図１０、図１２、図１４でも同様とする。また、後述する振動子ＶＢに対応する青色を、「格子模様」で表現するものとする。
【００７３】
操作者は、穿刺法としての平行法及び交差法ともに、識別部２６Ａ，２６Ｃを視認できる。ただし、平行法では、操作者が識別部２６Ａ，２６Ｃを視認しづらいおそれがある。このため、超音波探触子２を図７に示す超音波探触子２Ｄに代えてもよい。
【００７４】
超音波探触子２Ｄは、超音波探触子２と同様であるが、ケース部２５は、識別部２６Ａ，２６Ｃに代えて、識別部２６Ａ１，２６Ｃ１を有する。超音波探触子２Ｄは、ケース部２５に、凸部２７、凹部２８を有するが、これらは、超音波探触子２でも同様に有するものである。
【００７５】
識別部２６Ａ１は、ケース部２５の表面及び側面に形成され、図３の表側の振動子ＶＡに対応する色として、赤色の塗料で塗られた部分である。識別部２６Ｃ１は、ケース部２５の裏面及び側面に形成され、図３の表側の振動子ＶＣに対応する色として、緑色の塗料で塗られた部分である。識別部２６Ａ１，２６Ｃ１は、赤色、緑色のシールなどとしてもよい。さらに、識別部２６Ａ１，２６Ｃ１は、操作者が手の触感でも互いに識別可能な構成としてもよく、例えば、識別部２６Ａ１を凸部として形成し、識別部２６Ｃ１を凹部として形成する構成としてもよい。
【００７６】
凸部２７は、超音波探触子のアダプターを接続するための突起部である。凹部２８は、操作者が手の触感によりスキャン方向を認識するための凹部であり、凸部などであってもよい。
【００７７】
識別部２６Ａ１，２６Ｃ１は、操作者が表側、裏側からのみでなく、側面からも視認が可能であるため、交差法のみならず、平行法でも、操作者が識別部２６Ａ，２６Ｃを視認できる。
【００７８】
次に、図８〜図１１を参照して、超音波診断装置Ｕの動作を説明する。図８は、穿刺針画像表示処理を示すフローチャートである。図９（ａ）は、本実施の形態の手前側が赤色の識別マーク３２０を示す図である。図９（ｂ）は、本実施の形態の手前側が緑色の識別マーク３２０Ｖを示す図である。図１０（ａ）は、手前が赤色のプローブマーク３３０を示す図である。図１０（ｂ）は、手前が緑色のプローブマーク３３０Ｖを示す図である。図１１は、本実施の形態の超音波診断画面３００を示す図である。
【００７９】
図８を参照して、超音波診断装置Ｕで実行される穿刺針画像表示処理を説明する。穿刺針画像表示処理は、技師、医師などの操作者が被検体ＳＵの組織取得などを行う対象としてのターゲットＴに穿刺針３を刺入する穿刺作業を行う場合に、被検体内の穿刺針３のＢモード断層画像をライブ表示して穿刺作業を補助する処理である。
【００８０】
予め、例えば、超音波診断装置Ｕが設けられた診察室で医師などの操作者が待機し、被検体ＳＵとしての患者が当該診察室に入室してベッドに横になり、穿刺針３を用いた穿刺作業の準備ができているものとする。そして、超音波診断装置Ｕにおいて、操作入力部１８を介して、操作者から穿刺針画像表示処理におけるフレームレートなどの各種設定情報入力及び穿刺針画像表示処理の実行指示を受け付けたことをトリガとして、制御部１１は、ＲＯＭに記憶された穿刺針画像表示プログラムに従い、穿刺針画像表示処理を実行する。
【００８１】
まず、制御部１１は、初期の識別マークと、プローブマークと、を生成し、表示用に設定する（ステップＳ１０）。識別マークは、並べて表示する穿刺針の刺入に用いる超音波画像の手前及び奥が、針部分画像に着色されたどの色であるかを識別するための表示用のマークである。この針部分画像の表示色（表現）は、振動子ＶＡ，ＶＢ，ＶＣに対応する表現として、赤色、青色、緑色に設定されるものとする。振動子ＶＡ，ＶＣに対応する表現としての赤色、緑色は、超音波探触子２の識別部２６Ａ，２６Ｃにも対応する。ステップＳ１０では、例えば、図９（ａ）に示す識別マーク３２０が作成される。
【００８２】
識別マーク３２０は、超音波画像の手前側を示す手前側識別部３２１Ｆと、超音波画像の中心（中間）を示す中心識別部３２１Ｍと、超音波画像の奥側を示す奥側識別部３２１Ｒと、を有する。識別マーク３２０において、手前側識別部３２１Ｆが赤色に設定され、中心識別部３２１Ｍが青色に設定され、奥側識別部３２１Ｒが緑色に設定されている。
【００８３】
プローブマークは、超音波探触子２の種類を示すための表示用のマークであり、並べて表示する超音波画像の手前側が超音波探触子２の表裏のいずれ側かをも示すものとする。ステップＳ１０では、例えば、図１０（ａ）に示すプローブマーク３３０が作成される。
【００８４】
プローブマーク３３０は、超音波探触子２の種類を示す情報に加え、識別部３３１を有する。図１０（ａ）に示すプローブマーク３３０において、識別部３３１が、超音波探触子２の識別部２６Ａに対応する赤色に設定されている。
【００８５】
そして、制御部１１は、送信駆動部１２に駆動信号を生成開始させ、送受信切替部１４を介して、切替設定部２４に記憶された送受信シーケンスに応じたスイッチング素子２３０のスイッチングにより、当該駆動信号を振動子ＶＡ，ＶＢ，ＶＣの各振動子に入力して送信超音波を出射し、反射超音波（エコー）を受信させ、送受信切替部１４を介して、受信処理部１３に受信信号を取得させる（ステップＳ１１）。ステップＳ１１で得られる受信信号は、各振動子ＶＡ，ＶＢ，ＶＣに対応する同一時刻のフレームごとの受信信号が送受信シーケンスに応じた順に取得されていく。
【００８６】
そして、制御部１１は、画像生成部１５により、ステップＳ１１で受信処理部１３から入力された振動子ＶＡに対応する受信信号から１フレームのＢモード画像データを生成させる（ステップＳ１２）。そして、制御部１１は、穿刺針同定部１６２により、ステップＳ１２で生成された振動子ＶＡに対応するＢモード画像データから穿刺針３の針部分画像を強調して抽出する（針部分画像以外の部分を捨てる）（ステップＳ１３）。そして、制御部１１は、穿刺針同定部１６２により、ステップＳ１３で生成された画像データの針部分画像に振動子ＶＡを示す赤色を着色する（ステップＳ１４）。
【００８７】
また、制御部１１は、画像生成部１５により、ステップＳ１１で受信処理部１３から入力された振動子ＶＣに対応する受信信号から１フレームのＢモード画像データを生成させる（ステップＳ１５）。ステップＳ１５で生成されるＢモード画像データは、ステップＳ１２で生成されたＢモード画像データと同時刻のフレームとなる。そして、制御部１１は、穿刺針同定部１６２により、ステップＳ１５で生成された振動子ＶＣに対応するＢモード画像データから穿刺針３の針部分画像を強調して抽出する（ステップＳ１６）。そして、制御部１１は、穿刺針同定部１６２により、ステップＳ１６で生成された画像データの針部分画像に振動子ＶＣを示す緑色を着色する（ステップＳ１７）。
【００８８】
また、制御部１１は、画像生成部１５により、ステップＳ１１で受信処理部１３から入力された振動子ＶＢに対応する受信信号から１フレームのＢモード画像データを生成させる（ステップＳ１８）。ステップＳ１８で生成されるＢモード画像データは、ステップＳ１２，Ｓ１５で生成されたＢモード画像データと同時刻のフレームとなる。そして、制御部１１は、穿刺針同定部１６２により、ステップＳ１８で生成された振動子ＶＢに対応するＢモード画像データから穿刺針３の針部分画像を強調して抽出する（ステップＳ１９）。そして、制御部１１は、穿刺針同定部１６２により、ステップＳ１９で生成された画像データの針部分画像に振動子ＶＢを示す青色を着色する（ステップＳ２０）。
【００８９】
ステップＳ１４，Ｓ１７，Ｓ２０では、振動子ＶＡ，ＶＢ，ＶＣのどれで得られた針部分画像かを、表現の種類としての色を異にしている。ステップＳ１４，Ｓ１７，Ｓ２０での色の組合せは、一例であり、これに限定されるものではなく、例えば、緑−青−紫というようなグラデーションを用いてもよい。さらに、各針部分画像の別々に識別可能な表現の種類を他の種類に変えることとしてもよい。例えば、各針部分画像の別々に識別可能な表現として、彩度、輝度を異にする構成でもよく、点滅の有無や間隔などを異にする構成でもよく、複数種類の表現を組合せる構成でもよい。また、各針部分画像の表現に対応するように、識別部２６Ａ，２６Ｃ（識別部２６Ａ１，２６Ｃ１）、識別マーク３２０、プローブマーク３３０が設定される。
【００９０】
ステップＳ１１，Ｓ１２，Ｓ１５，Ｓ１８では、最初に入力された各種設定情報に対応した処理が実行される。また、穿刺針画像表示処理の実行中に、操作入力部１８を介して操作者から適宜各種設定情報が変更入力される構成としてもよい。また、操作入力部１８を介して操作者から、ステップＳ１４，Ｓ１７，Ｓ２０における針部分画像の表現（色）が各種設定情報として入力される構成としてもよい。
【００９１】
また、ステップＳ１８の実行後、制御部１１は、画像生成部１５により、ステップＳ１１で生成された１フレームの通常のＢモード画像データを取得する（ステップＳ２１）。そして、制御部１１は、画像処理部１６により、ステップＳ１４で生成された赤の針部分画像と、ステップＳ１７で生成された緑の針部分画像と、ステップＳ２０で生成された青の針部分画像と、ステップＳ２１で取得された１フレームのＢモード画像データと、を合成させ、１フレームの合成画像データを生成させる（ステップＳ２２）。
【００９２】
そして、制御部１１は、操作入力部１８を介して操作者から超音波画像の左右反転又は上下反転の操作入力がされたか否かを判別する（ステップＳ２３）。超音波画像が左右反転又は上下反転されると、当該超音波画像の手前側と奥側とが入れ替わる。左右反転又は上下反転の操作入力がされた場合（ステップＳ２３；ＹＥＳ）、制御部１１は、表示用に設定中の識別マーク及びプローブマークを、反転後の識別マーク及びプローブマークに変更して表示用に設定する（ステップＳ２４）。ステップＳ２４において、直前に識別マーク３２０、プローブマーク３３０が表示用に設定されている場合に、図９（ｂ）に示す識別マーク３２０Ｖ、図１０（ｂ）に示すプローブマーク３３０Ｖに変更される。
【００９３】
識別マーク３２０Ｖは、緑色に設定された手前側識別部３２１Ｆと、青色に設定された中心識別部３２１Ｍと、赤色に設定された奥側識別部３２１Ｒと、を有する。プローブマーク３３０Ｖは、超音波探触子２の識別部２６Ａに対応する緑色に設定された識別部３３１を有する。ステップＳ２４において、直前に識別マーク３２０Ｖ、プローブマーク３３０Ｖが表示用に設定されている場合に、識別マーク３２０、プローブマーク３３０に変更される。
【００９４】
なお、識別マーク３２０，３２０Ｖは、図９（ａ）、図９（ｂ）に示される構成に限定されるものではない。例えば、識別マーク３２０，３２０Ｖが、手前側識別部３２１Ｆのみを有する構成としてもよい。また、プローブマーク３３０，３３０Ｖは、図１０（ａ）、図１０（ｂ）に示される構成に限定されるものではない。
【００９５】
そして、制御部１１は、画像処理部１６により、反転操作の有無及び内容に応じてステップＳ２２で生成された超音波画像の合成画像データを適宜左右又は上下に反転し（又は反転することなく）、当該合成画像データの超音波画像と、表示用に設定中の識別マーク及びプローブマークと、を含む超音波診断画面データを出力表示部１９に表示させる（ステップＳ２５）。左右反転又は上下反転の操作入力がされていない場合（ステップＳ２３；ＮＯ）、ステップＳ２５に移行される。
【００９６】
ステップＳ２５では、例えば、図１１に示す超音波診断画面３００が表示される。超音波診断画面３００は、超音波画像３１０と、識別マーク３２０と、プローブマーク３３０と、を有する。超音波画像３１０は、交差法による針部分画像３１１Ａ，３１１Ｂ，３１１Ｃを有する。針部分画像３１１Ａが赤色に着色され、針部分画像３１１Ｂが青色に着色され、針部分画像３１１Ｃが緑色に着色されている。図上、超音波画像３１０において、針部分画像を見やすくするため、針部分画像３１１Ａ，３１１Ｂ，３１１Ｃ以外の画像部分を白で表しており、後述する図１２の超音波画像３１０Ｅでも同様である。識別マーク３２０及びプローブマーク３３０の視認により、操作者は、赤色の針部分画像３１１Ａが超音波画像３１０の手前側の位置にあり、青色の針部分画像３１１Ｂが超音波画像３１０の奥行き方向の中間の位置にあり、緑色の針部分画像３１１Ｃが超音波画像３１０の奥側の位置にあることを容易に認識できる。
【００９７】
なお、穿刺針画像表示処理は、振動子ＶＡ，ＶＢ，ＶＣの全てを超音波画像生成に用いる構成であるが、深部描写能力を向上するのが好ましい。
【００９８】
２次元配列された複数の振動子の短軸方向の中心の振動子を用いて比較的浅い部位を描出し、短軸方向の全ての振動子を用いて比較的深い部分を描出する手法については、既に知られている。超音波探触子２において、短軸方向の全ての振動子ＶＡ，ＶＢ，ＶＣ及び音響レンズ２２０を用いて生成される超音波ビーム（Ｂａｂｃとする）の焦点距離は、短軸方向の中心の振動子ＶＢ及び音響レンズ２２０のレンズ部２２１Ｂを用いて生成される超音波ビームＢｂの焦点距離よりも長い。
【００９９】
超音波探触子２で、比較的深い部位を描出する場合においては、振動子ＶＡ，ＶＣに対応するレンズ部２２１Ａ，２２１Ｃについて、描出を行いたい深さで超音波ビーム（Ｂａｃとする）が短軸方向全体の中心（振動子ＶＢの超音波ビームＢｂの位置）を通過するようにすること、また、描出を行いたい深さで、超音波ビームＢａｂｃが集束するような曲率を持たせることで、深部描写能力を向上でき望ましい。この描出を行いたい深さは、各振動子ＶＡ，ＶＢ，ＢＣに対応する各超音波ビームＢａ，Ｂｂ，Ｂｃが排他的となる所定の深さよりも深くなる。
【０１００】
以上、本実施の形態によれば、超音波診断装置Ｕは、短軸方向に並んだ複数の長軸方向の列に配列され、超音波を送受信する複数の振動子２１０と、各列の振動子への駆動信号の入力及び受信信号の出力のオンオフを切替えるスイッチング素子２３０と、を有する超音波探触子２を備える。また、超音波診断装置Ｕは、スイッチング素子２３０の切替えを介して、超音波探触子２の各列の振動子２１０に駆動信号を出力する送信駆動部１２と、スイッチング素子２３０の切替えを介して、超音波探触子２から各列の振動子２１０に対応する受信信号を取得する受信処理部１３と、各列に対応する受信信号から各列に対応する超音波画像データを生成する画像生成部１５と、複数の超音波画像データのそれぞれの認識対象物としての穿刺針３の針部分画像を各列で別々に識別可能な表現（色）にし、針部分画像を含む複数の超音波画像データを合成して合成画像データを生成する画像処理部１６と、合成画像データの針部分画像の表現（色）が、合成画像データの合成画像の奥行き方向のどの位置に対応するかを示す第１の識別情報としての識別マーク３２０又は３２０Ｖを生成し、生成された識別マーク３２０又は３２０Ｖと、合成画像データと、を出力表示部１９に表示する制御部１１と、を備える。
【０１０１】
このため、超音波画像の各色の針部分画像と識別マーク３２０又は３２０Ｖとにより、認識対象物としての穿刺針３の奥行き方向の位置（手前側、中間、奥側の位置）を、操作者が目視により直感的かつ容易に認識できる。
【０１０２】
また、超音波探触子２は、短軸方向の位置に対応する針部分画像の表現を示す識別部２６Ａ，２６Ｃを備える。このため、超音波画像の各色の針部分画像と識別部２６Ａ，２６Ｃとにより、認識対象物としての穿刺針３の奥行き方向の位置を、超音波探触子２の短軸方向の位置（表側、裏側の位置）に対応づけて、操作者が目視により直感的かつ容易に認識できる。
【０１０３】
また、識別部２６Ａ，２６Ｃは、超音波探触子２の表側及び裏側の位置に配置される。このため、穿刺法の交差法及び平行法において、穿刺針３の奥行き方向の位置を、超音波探触子２の短軸方向の位置に対応づけて、操作者が目視により直感的かつ容易に認識できる。
【０１０４】
また、識別部２６Ａ１，２６Ｃ１は、超音波探触子２Ｄの表側、裏側及び側面の位置に配置される。このため、穿刺法の平行法において、穿刺針３の奥行き方向の位置を、超音波探触子２の短軸方向の位置に対応づけて、操作者が目視によりさらに直感的かつ容易に認識できる。
【０１０５】
また、制御部１１は、各針部分画像の表現（色）が、超音波探触子２の短軸方向の対応する位置を示す第２の識別情報としてのプローブマーク３３０又は３３０Ｖを生成する。制御部１１は、生成された識別マーク３２０又は３２０Ｖ、プローブマーク３３０又は３３０Ｖ及び合成画像データを出力表示部１９に表示する。このため、プローブマーク３３０又は３３０Ｖにより、穿刺針３の奥行き方向の位置を、超音波探触子２の短軸方向の位置に対応づけて、操作者が目視により直感的かつ容易に認識できる。
【０１０６】
また、超音波診断装置Ｕは、超音波画像の左右反転又は上下反転の操作入力を受け付ける操作入力部１８を備える。画像処理部１６は、左右反転又は上下反転の操作入力に応じて、合成画像データの合成画像の反転を行う。制御部１１は、左右反転又は上下反転の操作入力に応じて、識別マークの奥行き方向を逆にして表現（色）を変更する（識別マーク３２０⇔３２０Ｖ）。このため、超音波画像の左右反転又は上下反転を行った場合にも、超音波画像の各色の針部分画像と識別マーク３２０又は３２０Ｖとにより、穿刺針３の奥行き方向の位置を、操作者が目視により直感的かつ容易に認識できる。
【０１０７】
（第１の変形例）
図１２を参照して、上実施の形態の第１の変形例を説明する。ただし、上記実施の形態と同じ部分には、同じ符号を付して、その説明を省略する。図１２は、本変形例の超音波診断画面３００Ｅを示す図である。
【０１０８】
本変形例の装置構成として、上記実施の形態と同様に、超音波診断装置Ｕを用いるものとする。超音波診断装置Ｕの動作として、図８の穿刺針画像表示処理が実行される。ただし、穿刺針画像表示処理の実行開始前に、操作入力部１８を介して操作者から振動子ＶＢに対応する針部分画像の強調及び青色の着色を行わない旨の指示情報が入力され、穿刺針画像表示処理の実行開始後に、当該指示情報に応じて、ステップＳ１９，ステップＳ２０が実行されないものとする。
【０１０９】
本変形例の穿刺針画像表示処理により、ステップＳ２５では、例えば、図１２に示す超音波診断画面３００Ｅが表示される。超音波診断画面３００Ｅは、超音波画像３１０Ｅと、識別マーク３２０Ｅと、プローブマーク３３０と、を有する。識別マーク３２０Ｅは、識別マーク３２０と同様であるが、中心識別部３２１Ｍに青色の着色がされていない。超音波画像３１０Ｅは、交差法による針部分画像３１１Ａ，３１１Ｂ１，３１１Ｃを有する。針部分画像３１１Ｂ１は、強調されておらず着色もされていない。識別マーク３２０Ｅ及びプローブマーク３３０の視認により、操作者は、赤色の針部分画像３１１Ａが超音波画像３１０の手前側にあり、緑色の針部分画像３１１Ｃが超音波画像３１０の奥側にあることをより容易に認識できる。
【０１１０】
以上、本変形例によれば、上記実施の形態と同様の効果を奏するとともに、画像処理部１６は、短軸方向の中心に位置する少なくとも１つの列（振動子ＶＢ）に対応する超音波画像データの認識対象物としての穿刺針３の針部分画像の強調及び表現設定を行わない。このため、認識対象物としての穿刺針３が中心の列（振動子ＶＢ）からずれていないときに、針先をきれいに表示できて、操作者が目視によりその針先を容易に認識でき、ずれたときに、ずれた針先を操作者が目視により容易に認識できる。
【０１１１】
（第２の変形例）
図１３及び図１４を参照して、上記実施の形態の第２の変形例を説明する。図１３（ａ）は、本変形例の超音波探触子２Ｆの表面の平面図である。図１３（ｂ）は、本変形例の超音波探触子２Ｆの裏面の平面図である。図１４（ａ）は、本変形例の手前側が赤色の識別マーク３２０Ｆを示す図である。図１４（ｂ）は、本変形例の手前側が緑色の識別マーク３２０ＦＶを示す図である。
【０１１２】
本変形例の装置構成として、上記実施の形態と同様に、超音波診断装置Ｕを用いるものとするが、超音波探触子２を図１４（ａ）、図１４（ｂ）に示す超音波探触子２Ｆに代えた構成とする。
【０１１３】
超音波探触子２Ｆは、超音波探触子２とほぼ同様であるが、ケース部２５の表裏に識別部２９Ａ，２９Ｃが形成されている。図１４（ａ）に示すように、ケース部２５の表側に形成された識別部２９Ａは、図３の表側の振動子ＶＡに対応するマークとして、「○」が形成された部分である。識別部２９Ａは、操作者が「○」が視認できる形状とし、手の触感により「○」を認識できる形状であるとより好ましい。
【０１１４】
図１４（ｂ）に示すように、超音波探触子２Ｆのケース部２５の裏側に形成された識別部２９Ｃは、図３の裏側の振動子ＶＣに対応するマークとして、「△」が形成された部分である。識別部２９Ｃは、操作者が「△」を視認できる形状とし、手の触感により「△」を認識できる形状であるとより好ましい。超音波探触子２のケース部２５に識別部２６Ａ，２６Ｃにより色を付けるよりも、識別部２９Ａ，２９Ｃを形成する方が容易である。
【０１１５】
本変形例の超音波診断装置Ｕの動作として、図８の穿刺針画像表示処理が実行される。ただし、識別マーク３２０が、図１４（ａ）に示す識別マーク３２０Ｆに代えられるものとし、識別マーク３２０Ｖが、図１４（ｂ）に示す識別マーク３２０ＦＶに代えられるものとする。識別マーク３２０Ｆは、超音波探触子２Ｆのケース部２５の表側の識別部２９Ａの形状に対応する「○」の形状を有し、かつ振動子ＶＡの針部分画像の色に対応する赤色に設定されている。識別マーク３２０ＦＶは、超音波探触子２Ｆのケース部２５の裏側の識別部２９Ａの形状に対応する「△」の形状を有し、かつ振動子ＶＣの針部分画像の色に対応する緑色に設定されている。
【０１１６】
以上、本変形例によれば、上記実施の形態と同様の効果を奏するとともに、識別部２９Ａ，２９Ｃを超音波探触子２Ｆに容易に形成することができる。
【０１１７】
なお、上記実施の形態における記述は、本発明に係る好適な超音波診断装置の一例であり、これに限定されるものではない。
【０１１８】
例えば、上記実施の形態及び変形例の少なくとも２つの構成を適宜組合せる構成としてもよい。また、上記実施の形態及び変形例では、超音波診断装置Ｕが、超音波画像データとしてＢモード画像データを生成・表示する構成としたが、これに限定されるものではない。超音波診断装置Ｕが、超音波画像データとして他のモードの断層画像データを生成・表示する構成としてもよい。
【０１１９】
また、上記実施の形態及び変形例では、超音波診断装置Ｕにおいて、超音波探触子２に色を有する識別部２６Ａ，２６Ｃを備える構成としたが、これに限定されるものではない。操作者の中には、弱視などの視力の障害により、識別部２６Ａ，２６Ｃの色を視認しずらい者もいる。このため、例えば、超音波探触子２に、ケース部２５の表側にＬＥＤ（Light Emitting Diode）などの発光部により赤色を発光する識別部と、ケース部２５の裏側に発光部により緑色を発光する識別部と、を設ける構成としてもよい。
【０１２０】
また、上記実施の形態及び変形例では、短軸方向に３列の長軸方向の複数の振動子が配列された超音波探触子２を説明したが、これに限定されるものではない。短軸方向に５列、７列…など、短軸方向の分割数（振動子数）をもっと多くしたり、複数の振動子を同時に使用するなどを行ない、排他的な領域の数を増やすことも考えられる。
【０１２１】
また、上記実施の形態及び変形例では、認識対象物として、処置具としての穿刺針３の部分画像を超音波画像データから抽出して着色する構成としたが、これに限定されるものではない。例えば、被検体内の血管などの部位を認識対象物とし、当該部位の部分画像を超音波画像データから抽出して着色（各列で別々に識別可能な表現に）する構成や、疑似的（簡易的）な３次元表示を行なうことも可能である。
【０１２２】
また、上記実施の形態及び変形例では、超音波診断装置Ｕにおいて、超音波探触子２が識別部２６Ａ（２６Ａ１，２９Ａ）及び２６Ｃ（２６Ｃ１，２９Ｃ）を具備する構成としたが、これに限定するものではない。例えば、超音波探触子２が識別部２６Ａ（２６Ａ１，２９Ａ）又は識別部２６Ｃ（２６Ｃ１，２９Ｃ）を具備する構成としてもよい。
【０１２３】
また、上記実施の形態では、超音波診断装置Ｕにおいて、穿刺針３の部分画像の複数色表示と、超音波探触子２の識別部２６Ａ，２６Ｃの具備と、識別マーク３２０，３２０Ｖの表示と、プローブマーク３３０，３３０Ｖの表示と、の全て組合せる構成としたが、これに限定するものではない。例えば、超音波診断装置Ｕにおいて、穿刺針３の部分画像の複数の各色表示と、識別マーク３２０，３２０Ｖの表示と、を組合せる構成としてもよい。また、超音波診断装置Ｕにおいて、穿刺針３の部分画像の複数の各色表示と、超音波探触子２の識別部２６Ａ，２６Ｃの具備と、を組合せる構成としてもよい。また、超音波診断装置Ｕにおいて、穿刺針３の部分画像の複数の各色表示と、超音波探触子２の識別部２６Ａ，２６Ｃの具備と、識別マーク３２０，３２０Ｖ又はプローブマーク３３０，３３０Ｖの表示と、を組合せる構成としてもよい。この構成では、プローブマーク３３０，３３０Ｖは、第１の識別情報としても機能する。
【０１２４】
特に、超音波診断装置Ｕにおいて、超音波探触子２の識別部２６Ａ，２６Ｃの具備と、識別マーク３２０，３２０Ｖなどの表示又はプローブマーク３３０，３３０Ｖの表示と、を組合せる構成としてもよい。この構成では、穿刺針などの認識対象物を認識するために、超音波探触子の振動子の短軸方向の各列に応じて、抽出した部分画像（針部分画像）を異なる色分けを行う構成に限定されない。この構成について、超音波診断装置Ｕが通常のＢモードの超音波画像を表示するものとして、説明する。上記の特許文献３、４では、操作者が超音波探触子の表裏を認識できるのみで、超音波画像と超音波探触子との表裏の関係を認識できない。
【０１２５】
これに対して、例えば、超音波診断装置Ｕは、短軸方向に並んだ少なくとも１つの長軸方向の列に配列され、超音波を送受信する複数の振動子（例えば、振動子ＶＢ）と、短軸方向の表裏を表現する識別部（例えば、識別部２６Ａ，２６Ｃ）と、を有する超音波探触子２を備える構成とする。超音波診断装置Ｕは、超音波探触子２の振動子ＶＢに駆動信号を出力する送信駆動部１２と、超音波探触子２の振動子ＶＢから受信信号を取得する受信処理部１３と、受信信号から超音波画像データを生成する画像生成部１５と、超音波画像データの表裏に対応する超音波探触子２の表裏の表現（色）を示す第３の識別情報としての識別マーク（例えば、中心識別部３２１Ｍを除く識別マーク３２０若しくは３２０Ｖ）又はプローブマーク（例えば、プローブマーク３３０若しくは３３０Ｖ）を生成し、生成された識別マーク又はプローブマークと、超音波画像データと、を出力表示部１９に表示する制御部１１と、を備える構成としてもよい。
【０１２６】
この構成によれば、超音波画像と識別部２６Ａ，２６Ｃと識別マーク又はプローブマークとにより、超音波画像の表裏を、超音波探触子２の短軸方向の位置（表側、裏側の位置）に対応づけて、操作者が目視により直感的かつ容易に認識できる。なお、この識別マークは、表側又は裏側の識別部を有するものとしてもよい。
【０１２７】
また、超音波診断装置Ｕは、超音波画像の左右反転又は上下反転の操作入力を受け付ける操作入力部１８と、左右反転又は上下反転の操作入力に応じて、超音波画像データの超音波画像の反転を行う画像処理部１６と、を備える構成としてもよい。制御部１１は、左右反転又は上下反転の操作入力に応じて、識別マーク（中心識別部３２１Ｍを除く識別マーク３２０若しくは３２０Ｖ）又はプローブマーク（例えば、プローブマーク３３０若しくは３３０Ｖ）の表裏の表現（色）を逆にする。このため、超音波画像の左右反転又は上下反転を行った場合にも、超音波画像と識別部２６Ａ，２６Ｃと識別マーク又はプローブマークとにより、超音波画像の表裏を、超音波探触子２の短軸方向の位置に対応づけて、操作者が目視により直感的かつ容易に認識できる。
【０１２８】
また、以上の実施の形態における超音波診断装置Ｕを構成する各部の細部構成及び細部動作に関して本発明の趣旨を逸脱することのない範囲で適宜変更可能である。
【符号の説明】
【０１２９】
Ｕ  超音波診断装置
１  超音波診断装置本体
１１  制御部
１２  送信駆動部
１３  受信処理部
１４  送受信切替部
１５  画像生成部
１６  画像処理部
１６１  記憶部
１６２  穿刺針同定部
１８  操作入力部
１９  出力表示部
２，２Ｄ，２Ｆ  超音波探触子
２１０，ＶＡ，ＶＢ，ＶＣ，Ｖ１ａ  振動子
２２０  音響レンズ
２３０  スイッチング素子
ＳＷＡ，ＳＷＢ，ＳＷＣ  スイッチ
２４  切替設定部
２５  ケース部
２６Ａ，２６Ｃ，２６Ａ１，２６Ｃ１，２９Ａ，２９Ｃ  識別部
２７  凸部
２８  凹部
３  穿刺針
５  ケーブル
【図１】
2019122539.tif 000003
【図２】
2019122539.tif 000004
【図３】
2019122539.tif 000005
【図４】
2019122539.tif 000006
【図５】
2019122539.tif 000007
【図６】
2019122539.tif 000008
【図７】
2019122539.tif 000009
【図８】
2019122539.tif 000010
【図９】
2019122539.tif 000011
【図１０】
2019122539.tif 000012
【図１１】
2019122539.tif 000013
【図１２】
2019122539.tif 000014
【図１３】
2019122539.tif 000015
【図１４】
2019122539.tif 000016